(57)【特許請求の範囲】
【請求項１】
左右の脚体の上部と天板の下面の左右両側部との間に設けた前後方向を向くガイドレールにより、天板を前後方向に移動可能に支持し、机本体の後端部における天板下に形成した配線スペースの上方の開口部を、前記天板を前後移動させて開閉するようにした可動天板を備える机において、前記脚体の上面に上方が開口する前後方向を向く凹溝を設け、この凹溝内において前記ガイドレールを構成する固定レールと可動レールとを前後方向に摺動可能に係合し、かつ固定レールを脚体に、可動レールを天板の下面にそれぞれ固定したことを特徴とする可動天板を備える机。
【請求項２】
固定レールと可動レールとの断面形状を縦長として、凹溝内において互いに摺動可能に係合したことを特徴とする請求項１に記載の可動天板を備える机。
【請求項３】
左右の脚体の上端部間に、左右方向を向く連結杆を取付け、この連結杆の少なくとも中央部に、天板の下面を受支するローラを、左右方向を向く枢軸により回転自在に設けたことを特徴とする請求項１又は２に記載の可動天板を備える机。
【発明の詳細な説明】
【０００１】
【発明の属する技術分野】
本発明は、天板を前方に移動させて、机本体の後端部における天板下に形成された配線スペースを開口し、ＯＡ機器等のコード類を簡単に配線し得るようにした可動天板を備える机に関する。
【０００２】
【従来の技術】
この種の机において、天板を前後方向に移動させるガイドレールは、その固定レールを、左右の脚体における前後方向を向く脚アームの上面に、また固定レールに摺動可能として係合された可動レールを、天板の下面の左右両側部に、それぞれ取付けているのが一般的である。また、上記両レールの断面形状は、横長となっているものが殆どである。
【０００３】
【発明が解決しようとする課題】
上述のように、固定レールを脚体の脚アームの上面に取付け、これに可動レールを係合させていると、ガイドレール全体の上下寸法が大となるため、天板と脚アームとの間に比較的大きな隙間が形成され、机の見栄えが悪くなる。
【０００４】
また、ガイドレールが側方より見えるため、体裁も悪い。
【０００５】
さらに、ガイドレールの断面形状が横長となっているため、脚アームの上端部の左右寸法を大とする必要があり、脚体の重量が増加する。
【０００６】
本発明は、上記問題点を解決するためになされたもので、天板と脚体間に大きな隙間が形成されたり、ガイドレールが大きく露呈するのを防止することにより、見栄えを向上させるとともに、脚体上部の左右寸法を最小限として軽量化が図れるようにした可動天板を備える机を提供することを目的としている。
【０００７】
【課題を解決するための手段】
上記目的を達成するために、本発明の可動天板を備える机は、左右の脚体の上部と天板の下面の左右両側部との間に設けた前後方向を向くガイドレールにより、天板を前後方向に移動可能に支持し、机本体の後端部における天板下に形成した配線スペースの上方の開口部を、前記天板を前後移動させて開閉するようにした可動天板を備える机において、前記脚体の上面に上方が開口する前後方向を向く凹溝を設け、この凹溝内において前記ガイドレールを構成する固定レールと可動レールとを前後方向に摺動可能に係合し、かつ固定レールを脚体に、可動レールを天板の下面にそれぞれ固定したことを特徴としている。
本発明によると、ガイドレールにおける固定レールと可動レールとが、脚体上面の凹溝内において摺動可能に係合しているため、天板と脚体の上端との間に大きな隙間が形成されたり、ガイドレールが大きく露呈したりすることがなく、机の見栄えが向上する。
【０００８】
上記可動天板を備える机において、固定レールと可動レールとの断面形状を縦長として、凹溝内において互いに摺動可能に係合したことが好ましい。
このようにすると、固定レールと可動レールとの係合部の左右寸法が小さくなるため、凹溝の幅はもとより、それが形成された脚体上部の左右寸法を最小限とすることができ、脚体の軽量化が図れる。
【０００９】
上記可動天板を備える机において、左右の脚体の上端部間に、左右方向を向く連結杆を取付け、この連結杆の少なくとも中央部に、天板の下面を受支するローラを、左右方向を向く枢軸により回転自在に設けたことが好ましい。
このようにすると、天板の前後移動を軽快に行うことができるとともに、左右のガイドレールに加わる天板の荷重が軽減されるので、ガイドレールの摺動部が摩耗しにくくなる。
【００１０】
【発明の実施の形態】
以下、本発明の実施例を図面に基づいて説明する。
【００１１】
図１ないし図４は、本発明の一実施形態を示すもので、図１は本発明が適用された机本体の全体斜視図、図２は上方が開口する前後方向を向く凹溝を設けた脚体と、この脚体の上面に取付けられるガイドレールとの関係を示す分解斜視図、図３は脚体の上面にガイドレールが取付けられた状態を示す断面図であり、図４は天板下に形成した配線ダクトと、天板の移動によって形成される開口の状態を示す部分斜視図である。
【００１２】
図１に示される１は机本体であり、机本体１は、左右に配置される縦長板状に形成され下端が前方に張り出した下部アーム２ａ、２ｂを設けた左右一対の脚部３ａ、３ｂと、両脚部３ａ、３ｂ間の後端に着脱可能に装着される幕板４と、両脚部３ａ、３ｂの上端に前方に張り出して取付けられる一対の支持アーム５ａ、５ｂ（一方のみ図示）とから脚体Ｆａ、Ｆｂが構成される。
【００１３】
更に、立設する両脚部３ａ、３ｂは、これら両脚部３ａ、３ｂの上端に支持される支持アーム５ａ、５ｂのほぼ中間に対向する内側に向けてブラケット１０ａ、１０ｂが突設し、これらブラケット１０ａ、１０ｂに両端が連結される連結杆８によって枠組みされる。そしてこれら脚体Ｆａ、Ｆｂの上端には天板６が前後方向に移動可能（詳細は後述する）に支持されている。
【００１４】
また、机本体１の両支持アーム５ａ、５ｂ後端部の上部には、パネル等を取付けるための取付孔を形成した突出部７（図２参照）が上方に向けて突設されると共に、この突出部７には上端面が天板６の上面と同一面を構成する図示しないキャップが着脱可能に装着されている。
【００１５】
この間隙に対応して天板６の下方には、配線ダクト１６が配置されており、この配線ダクト１６は、図４に示すように、上方が開口する断面コ字形に形成された配線ダクト１６の側方が幕板４上部の内側に止着され、この天板６後端部の隙間の間隙は、幕板４上端に設けられたブラシ状の閉塞部材（以下ブラシ体２０と称する）によって覆われている。
【００１６】
このブラシ体２０は、可撓性を有する例えばナイロン繊維を水平かつ同方向を向くように多数並べて束ね、ブラシ体２０の一側端を繊維の方向と直交する狭持部材を構成する偏平状に押圧形成された止め金具２３により挟持され、止め金具２３を保持した取付部材２２によって幕板４上端に取付けられている。
【００１７】
次に、前述した両支持アームにつき図２、図３を参照して説明する。これら支持アーム５ａ、５ｂは、左右対称構造で略同一構造に構成されているため一方の支持アーム５ａにつき説明する。
【００１８】
この支持アーム５ａは、上面に上方が開口する前後方向を向く凹溝１２が形成され、凹溝１２内の中央に長手方向に沿って形成されるリブ１４の上端にガイドレールＲを取付けるためのネジ穴を形成したボス１５ａ、１５ｂ、１５ｃ１５ｄが所定間隔毎に突設されている。
【００１９】
更に、支持アーム５ａ、５ｂの前後方向の略中央に形成されるブラケット１０ａ、１０ｂには左右方向を向く連結杆８の両端を挿嵌支持するための開口が上方に向くコ字形の凹溝Ｇが形成されている。また、支持アーム５ａ、５ｂの後端側面には、幕板４を固定するためのブラケットＢＫが対向する内側に向けて突設されている。
【００２０】
ガイドレールＲは、天板６を前後方向に移動可能に支持する機能を有するものであって、支持アーム５ａ内に長手方向に沿って縦長に形成される凹溝１２をリブ１４によって左右に仕切きられる片側の凹溝１２内に収容可能であって、支持アーム５ａの長さより若干短い長さで帯状に形成された保持体３２と、保持体３２の片側に平行に取付けられた固定レールとしての案内ロッド３４ａ、３４ｂと、保持体３２の背面に所定間隔で取付けられた複数の取付け片３５ａ、３５ｂ、３５ｃ、３５ｃ、３５ｄとで構成されている。
【００２１】
一対のガイドレールＲは、断面形状が縦長に形成されており、案内ロッド３４ａ、３４ｂが対向する内側に向くように両支持アーム５ａ、５ｂ内に取付けられる。従って、両支持アーム５ａ、５ｂに取付けられた案内ロッド３４ａ、３４ｂには、複数の可動レールとしてのスライド部材３８が前後方向に摺動可能に係合しており、各スライド部材３８には所定間隔離間してＬ字形に形成されたブラケット３６、３７が止着され、これらブラケット３６、３７が天板６の下面に取り付けられている。
【００２２】
一方、支持アーム５ａ、５ｂ間を連結する断面コ字形に形成された連結杆８の中央部底面には、天板６の下面を受支するローラ４２を回転自在に軸支した一対の支持片４０が所定間隔離間して取り付けられている。
【００２３】
このように、天板６は、ブラケット３６、３７を介して取付けられたスライド部材３８を案内支持する案内ロッド３４ａ、３４ｂと、一対のローラ４２によりこの天板の下面が前後方向に移動可能に支持されている。尚、天板の下面には図示しないロック手段が配置されており、このロック手段により天板６の移動が拘束されるようになっている。
【００２４】
次に、上記のように構成された天板の作用につき説明する。
【００２５】
天板６を使用されるために両支持アーム５ａ、５ｂ上に正規に設置された状態では、図４に示されるように、天板６の下方に配置される配線ダクト１６の上方は、天板６の後端と、幕板４との間で所定幅の間隙が形成されており、この間隙はブラシ体２０によって閉塞されている。
【００２６】
天板６の下面に配置される配線ダクト１６内には、ＯＡ機器等のコード類Ｃが配線されており、これらコード類Ｃを必要に応じてブラシ体２０を挿通して適宜天板６上に取り出すことができるようになっている。
【００２７】
ここで、例えば、配線ダクト１６内のコード類Ｃを引き出したり、収容するための配線処理をする際には、ブラシ体２０により閉塞された間隙の間隔では狭いため作業が困難なことから、その間隙を広げるために、天板６を前方に移動させる必要がある。
【００２８】
そこで、ロック手段を解除して天板６を人為的に手前に引くことにより、天板６は両ガイドレールＲの案内ロッド３４ａ、３４ｂにスライド可能に係合しているスライド部材３８を介して前方に移動させることで間隙を広げることができる。
【００２９】
従って、上記のように可動天板を構成することにより、ガイドレールＲにおける案内ロッド３４ａ、３４ｂとスライド部材３８とが、支持アーム５ａ、５ｂ上面の凹溝１２内において摺動可能に係合しているため、天板６と支持アーム５ａ、５ｂ上端との間に大きな隙間が形成されたり、ガイドレールＲが大きく露呈したりすることがなく、机の見栄えが向上する。
【００３０】
また、案内ロッド３４ａ、３４ｂとスライド部材３８との断面形状が縦長として構成されて、凹溝１２内において互いに摺動可能に係合されているので、案内ロッド３４ａ、３４ｂとスライド部材３８との係合部の左右寸法が小さくなるため、凹溝１２の幅はもとより、それが形成された両支持アーム５ａ、５ｂ上部の左右寸法を最小限とすることができ、結果的に両脚部３ａ、３ｂの軽量化が図れる。
【００３１】
更に、左右の脚部３ａ、３ｂの上端部間に、左右方向を向く連結杆８を取付け、この連結杆８の少なくとも中央部に、天板６の下面を受支するローラ４２が回転自在に設けられているので、天板６の前後移動を軽快に行うことができるとともに、左右のガイドレールＲに加わる天板６の荷重が軽減されるので、ガイドレールＲの摺動部が摩耗しにくくなる。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
【発明の効果】
本発明によれば、次のような効果が得られる。
【００３４】
（ａ）請求項１に記載の発明によれば、ガイドレールにおける固定レールと可動レールとが、脚体上面の凹溝内において摺動可能に係合しているため、天板と脚体の上端との間に大きな隙間が形成されたり、ガイドレールが大きく露呈したりすることがなく、机の見栄えが向上する。
【００３５】
（ｂ）請求項２に記載の発明によれば、固定レールと可動レールとの係合部の左右寸法が小さくなるため、凹溝の幅はもとより、それが形成された脚体上部の左右寸法を最小限とすることができ、脚体の軽量化が図れる。
【００３６】
（ｃ）請求項３に記載の発明によれば、天板の前後移動を軽快に行うことができるとともに、左右のガイドレールに加わる天板の荷重が軽減されるので、ガイドレールの摺動部が摩耗しにくくなる。
【図面の簡単な説明】
【図１】本発明が適用された机本体の全体斜視図である。
【図２】上方が開口する前後方向を向く凹溝を設けた脚体と、この脚体の上面に取付けられるガイドレールとの関係を示す分解斜視図である。
【図３】脚体の上面にガイドレールが取付けられた状態を示す断面図である。
【図４】天板下に形成した配線ダクトと、天板の移動によって形成される開口の状態を示す部分斜視図である。
【符号の説明】
１                机本体
２ａ、２ｂ        下部アーム
３ａ、３ｂ        脚部
４                幕板
５ａ、５ｂ        支持アーム
６                天板
７                突出部
８                連結杆
１０ａ、１０ｂ    ブラケット
１２              凹溝
１４              リブ
１５ａ〜１５ｄ    ボス
１６              配線ダクト
２０              ブラシ体
２２              取付部材
２３              金具
３２              保持体
３４ａ、３４ｂ      案内ロッド
３５ａ〜３５ｄ    取付け片
３６、３７        ブラケット
３８              スライド部材
４０              支持片
４２              ローラ
ＢＫ              ブラケット
Ｃ                コード類
Ｆａ、Ｆｂ        脚体
Ｇ                凹溝
Ｒ                ガイドレール
【図１】
0004519344.tif 000002
【図２】
0004519344.tif 000003
【図３】
0004519344.tif 000004
【図４】
0004519344.tif 000005